(57)【要約】      （修正有）【課題】安定し、持続性の高い水活性用サンゴ石を提供する。【解決手段】共鳴電磁波放射シート１の上に、サンゴ石２を密着させて置き当該シート１から放射される３２〜３８テラヘルツの共鳴電磁波４を、当該サンゴ石２に２〜１２時間照射する。当該共鳴電磁波放射シート１の下には２０℃〜９０℃の温度調節が可能なヒーター３が設けられていて、３２〜３８テラヘルツの共鳴電磁波４を当該サンゴ石２に効率良く照射できる。当該サンゴ石２が共鳴電磁波４の転写体となり、自らが共鳴電磁波４の発射体となる。【選択図】図１
0003203561.tif 000002
【実用新案登録請求の範囲】
【請求項１】
３２〜３８テラヘルツの共鳴電磁波を、２〜１２時間、２０℃〜９０℃の温度条件下で、サンゴ石に照射することで、当該サンゴ石自体を当該共鳴電磁波の転写放射体とすることにより３２〜３８テラヘルツの共鳴電磁波を放射することを特徴とする水活性用サンゴ石。
【考案の詳細な説明】
【技術分野】
【０００１】  本考案は、３２〜３８テラヘルツの共鳴電磁波を、放射することを特徴とする水活性用サンゴ石に関するものである。
【背景技術】
【０００２】  近年、活性水や水素水などの健康に留意した飲料水が流行している。【０００３】  従来、活性水を生成する方法として、電磁波を放射する天然石やセラミックや金属を水に直接接触させる方法が開発されている。【０００４】  また同様に、加熱圧縮空気を、特殊フィルターを通して水に注入する方法も開発されている。
【特許文献１】  特開２０１０−２０７８０２
【特許文献２】  特開２００８−３６５３０
【特許文献３】  特開２０１０−１００７５
【考案の概要】
【考案が解決しようとする課題】
【０００５】  従来の、活性水の生成方法は、水に特定の電磁波を放射するセラミックや金属や天然石を直接接触させる方法がほとんどで、放射される電磁波の周波数によっては効果が期待できない場合もあった。【０００６】  また、加熱圧縮空気を、特殊なフィルターを通して水に注入曝気して、当該水を活性化する活性水の生成方法も開発されているが、生成装置が大型となり、利便性やコストに問題があった。
【課題を解決するための手段】
【０００７】  このような課題を解決するために本考案者は、３２〜３８テラヘルツの共鳴電磁波を、２〜１２時間、２０℃〜９０℃の温度条件下で、サンゴ石に照射することで、当該サンゴ石が当該共鳴電磁波の転写体となり、自らが当該共鳴電磁波の発射体となることを見出し、本考案をなすに至った。【０００８】  すなわち、本考案では、３２〜３８テラヘルツの共鳴電磁波を放射するサンゴ石を、水の入ったプラスチックやガラスの容器に入れ、２０℃〜９０℃の温度条件下で、２〜１２時間放置し、当該共鳴電磁波の放射体から発射される電磁波を、当該水に照射することで、当該水の水分子の水素結合を共振作用により分解し、当該水を、酸化還元電位が還元側になり、ＰＨ値がアルカリ側になり、水分子クラスターが小さくなる活性水とする。【０００９】  また、上記方法で活性化された水は、当該水自体が、３２〜３８テラヘルツの共鳴電磁波の転写体となり、３２〜３８テラヘルツの共鳴電磁波を放射することができる。【００１０】  また、当該活性水から放射される共鳴電磁波の周波数を３２〜３８テラヘルツとすることで、様々な物質の水素結合を共振励起して分離することができ、当該物質の内部エネルギーを高める効果がある。
【考案の効果】
【００１１】  本考案によれば、還元電位が高く、弱アルカリ性で、水分子クラスターの微細な活性水を生成できる水活性用材料を低コストで提供できる。【００１２】  本発明によれば、３２〜３８テラヘルツの共鳴電磁波を発振するサンゴ石を水の入った容器に入れておくだけで、当該共鳴電磁波を当該水に照射する。【００１３】  当該電磁波は、当該水の水素結合を共振励起し、当該水素結合を分離する。そして当該水素結合から放出された電子が高速で移動し、他の原子や分子と衝突することにより次々とカスケード的に電子（マイナスイオン）が大量に放出され、当該水を低分子量化し、酸化還元電位を還元側にし、ＰＨ値をアルカリ側にし、当該水を活性化する。【００１４】  また、当該活性水自体も当該共鳴電磁波の転写体となり、３２〜３８テラヘルツの電磁波を放射するため、美容や健康を始めとしてさまざまな共鳴電磁波機能を有する水となる。【００１５】  また、当該共鳴電磁波は、水素結合を有するアミノ酸やその他の成分の水素結合も共振励起し、低分子量化する。【００１６】  低分子量化したアミノ酸やその他の成分は、味蕾に旨味成分として感じられるため酒類やジュースの品質が改善される。
【考案を実施するための形態】
【００１７】  以下、本考案の実施形態について図面を参照しながら詳細に説明する。
【図１】
は、本考案の水活性用サンゴ石の製造方法の概念を示す。
【図２】
は、本考案の水活性用サンゴ石の作用概念を示す断面図である。
【００１８】  図１に示すように、共鳴電磁波放射シート１の上に、サンゴ石２を密着させて置き当該シート１から放射される３２〜３８テラヘルツの共鳴電磁波４を、当該サンゴ石２に２〜１２時間照射する。
【００１９】  当該共鳴電磁波放射シート１の下には２０℃〜９０℃の温度調節が可能なヒーター３が設けられていて、３２〜３８テラヘルツの共鳴電磁波４を当該サンゴ石２に効率良く照射できる。
【００２０】  図２に示すように、当該共鳴電磁波４を、規定温度条件下で、規定時間照射された水活性用サンゴ石１２を水１１の入った容器１３に入れると、当該水１１の水分子クラスター１５を構成する水素結合が共振励起され、水素結合が分離し、水分子クラスターが微細化されるとともに、水素イオン１６と電子１７が水１１の中に放出される。
【００２１】  図２に示すように、水素結合の分離により放出された電子１７は高速で移動し、次々と分子や原子と衝突し、カスケード的に大量に共振電子が放出され、その共振電子による還元作用により、血液やリンパ液や細胞の酸化劣化が防止され、血流やリンパ液の流れが改善される効果のある活性水となる。
【００２２】  本考案の方法により生成された水の還元効果は、水道水や市販のミネラル水や水素水で実験したところ、実験範囲のすべての種類の水が、酸化還元電位計の測定結果で、５０〜１００ｍＶ程度還元側に変化することで確認されている。
【００２３】  また、当該活性水から放射される共鳴電磁波は、人体や有機体の細胞を柔軟にし、血流やリンパ液や神経の流れを円滑にするため、身体バランスを高め運動能力を向上させる。
【００２４】  さらに、水素結合が分離され微細化した水分子クラスター１５は、酸素や栄養素を体内各部に運搬することができる。
【実施例】
【００２５】  数多くの人たちの飲用やその他テストを通して下記の効果が確認されている。
＊骨密度上昇効果：サンゴ石のカルシューム成分がイオン化されるため骨密度が上昇する。
＊痩身効果      ：活性水が体内の余分な脂肪分を燃焼するため、肥満を抑止する。
＊消臭効果      ：身体にスプレーすると、汗の臭いや体臭・加齢臭を消臭する。
＊植物育成効果  ：植物にスプレーすると、植物が健康になり成長が促進される。
【産業上の利用可能な分野】
【００２６】  本考案は、飲用ばかりでなく、水性塗料や液体肥料やその他の希釈液として使用すると、原液使用量を減らして、効果を高めることができるためいろいろな分野で使用できる。
【図面の簡単な説明】
【００２７】
【図１】は、本考案の水活性用サンゴ石の製造方法の概念を示す。
【図２】は、本考案の水活性用サンゴ石の作用概念を示す断面図である。
【符号の説明】
【００２８】  １    共鳴電磁波放射シート
２    サンゴ石
３    ヒーター
４    共鳴電磁波
１１  水
１２  水活性用サンゴ石
１３  容器
１４  共鳴電磁波
１５  水分子クラスター
１６  水素イオン
１７  電子
【図１】
0003203561.tif 000003
【図２】
0003203561.tif 000004